(57)【要約】      （修正有）【課題】書類を挟み部材の面接触で挟み付けることにより、大きな挟み付け力で書類を保持でき、また、全体として平坦な形状に形成でき、さらに書類の挟み付け状態で挟み部材を簡単にロックできる書類クリップを提供する。【解決手段】座板３の片側部に座板上面へのびる書類挟み舌片５が形成された書類挟み台座１と、書類挟み台座１の一端に枢支され、かつ座板３および書類挟み舌片５を押圧状態に挟み付ける押圧挟み部材２とを有し、押圧挟み部材２は、書類挟み台座１の枢支点のまわりに旋回して台座１に対して挟み付け係合し、押圧挟み部材２の押圧挟み付けで座板３と書類挟み舌片５との間に挟まれた書類が押圧保持され、押圧挟み部材２の挟み付け係合時に、書類挟み台座１の座板３および押圧挟み部材２に形成された開口１１および突起１２が係合し、クリップ状態にロックされる。【選択図】図１
0003208642.tif 000002
【実用新案登録請求の範囲】
【請求項１】
座板の片側部に座板上面へのびる書類挟み舌片が形成された書類挟み台座と、前記書類挟み台座の一端に枢支され、かつ前記座板および前記書類挟み舌片を押圧状態に挟み付ける押圧挟み部材とを有し、前記押圧挟み部材には該挟み部材の板面との間に間隙を有して舌片係合部材が形成されており、前記押圧挟み部材は、前記書類挟み台座の枢支点のまわりに旋回して該挟み部材の板面と前記舌片係合部材との間に前記台座の座板および前記書類挟み舌片を押圧挟み付け係合し、前記押圧挟み部材の押圧挟み付けで前記座板と前記書類挟み舌片との間に挟まれた書類が押圧保持され、前記押圧挟み部材の挟み付け係合時に、前記書類挟み台座の座板および前記押圧挟み部材に形成された開口および突起が係合し、これによって前記押圧挟み部材が前記書類挟み台座に対して挟み付け状態にロックされることを特徴とする書類クリップ。
【請求項２】
前記書類挟み台座に形成された前記開口は該挟み台座の側部に開通し、かつこの開通口からＬ形に伸長した長孔であり、前記書類挟み台座および前記押圧挟み部材は前記長孔の伸長方向に相対移動し得るように枢支されており、前記押圧挟み部材には前記書類挟み台座の側部の長孔開通口から前記長孔の伸長方向へ挿入される突起が形成されていることを特徴とする請求項１に記載した書類クリップ。
【考案の詳細な説明】
【技術分野】
【０００１】
本考案は書類を挟み付けて保持する書類クリップ、特に、書類の挟み付け状態でその挟み付け部分をロックすることができる書類クリップに関する。
【背景技術】
【０００２】
書類を挟み付けるクリップとして従来から種々のタイプのものが知られており、その挟み付け力もタイプによって区々である。代表的なものを例示すれば、図３（ａ）に示すものは通称Ｗクリップと称される書類クリップであり、側面視Δ形に形成された本体部の先端が切り離され、本体部の先端から後方へ伸長した一対の枠金具３０を指先で押圧変位させて本体部のばね性に抗して先端３１を開口させ、この開口から書類を差し込む形態のものである。また図３（ｂ）に示すものは、通称目玉クリップと称されるものであり、横長の書類挟み部３５から反対側へ伸長した一対のつまみ部３２をその中間部分で軸支し、支持軸３３まわりに装着したばねによって書類挟み部３５に押圧力を付与するようにしている。その他、書類の保持板の上端に書類挟み部材を装着し、この挟み部材に組み込んだばね部材で挟み部材に押圧力を付与する形態のものも従来から存在している。
【先行技術文献】
【特許文献】
【０００３】
【特許文献１】特開２０１６−１０７６０５号公報
【特許文献２】特開２００８−１１６０３３号公報
【考案の概要】
【考案が解決しようとする課題】
【０００４】
図３（ａ），（ｂ）に示した従来の書類クリップは書類の挟み部分が真直な縁状部分であって、広い面接触で書類を挟み付ける形態ではない。このため、書類の挟み付け力が比較的弱く、挟み付けた書類が抜け落ちる危険がある。大きな挟み付け力を得ようとすると、クリップ自体を大きくし、かつ強いばね性を付与した構造にしなければならず、また、指先による操作部分がクリップした書類の紙面に対し垂直方向に大きく突出することとなり、クリップした状態の書類の整理、保管に不便となる。また、書類の保持板に一体に挟み部材を装着したものは、用途が限定されるとともに、書類の保持力も弱いといった欠点がある。
【０００５】
特許文献１のクリップは挟み本体部に装着される操作つまみを無くし、全体のかさばりを少なくした構成のものであるが、直線状の縁端部分を挟み口としており、広い面接触で書類を押圧保持するものでなく、クリップ力は充分とはいえない。また、特許文献２に示す連結クリップは複数のクリップを書類の紙面に垂直方向に連結できるようにした構成であり、書類をクリップ状態で重ねておくのに使用されるものであるが、書類の保持力はクリップ自体のばね性で得る構成であり、クリップ力を高めることを目的としたものではない。
【０００６】
本考案は、書類を挟み部材の面接触で挟み付けることにより、大きな挟み付け力で書類を保持でき、また、全体として平坦な形状に形成でき、さらに書類の挟み付け状態で挟み部材を簡単にロックできる書類クリップを提供することを目的とする。
【課題を解決するための手段】
【０００７】
本考案によれば、座板の片側部に座板上面へのびる書類挟み舌片が形成された書類挟み台座と、前記書類挟み台座の一端に枢支され、かつ前記座板および前記書類挟み舌片を押圧状態に挟み付ける押圧挟み部材とを有し、前記押圧挟み部材には該挟み部材の板面との間に間隙を有して舌片係合部材が形成されており、前記押圧挟み部材は、前記書類挟み台座の枢支点のまわりに旋回して該挟み部材の板面と前記舌片係合部材との間に前記台座の座板および前記書類挟み舌片を押圧挟み付け係合し、前記押圧挟み部材の押圧挟み付けで前記座板と前記書類挟み舌片との間に挟まれた書類が押圧保持され、前記押圧挟み部材の挟み付け係合時に、前記書類挟み台座の座板および前記押圧挟み部材に形成された開口および突起が係合し、これによって前記押圧挟み部材が前記書類挟み台座に対して挟み付け状態にロックされるようにした書類クリップが提供される。
【０００８】
本考案のひとつの形態によれば、前記押圧挟み部材はその端部が弾性変位可能に形成され、前記押圧挟み部材の前記弾性変位を伴なって前記開口と前記突起が係合することを特徴とする。
【０００９】
また、本考案の他の形態によれば、前記書類挟み台座に形成された前記開口は該挟み台座の側部に開通し、かつこの開通口からＬ形に伸長した長孔であり、前記書類挟み台座および前記押圧挟み部材は前記長孔の伸長方向に相対移動し得るように枢支されており、前記押圧挟み部材には前記書類挟み台座の側部の長孔開通口から前記長孔の伸長方向へ挿入される突起が形成されていることを特徴とする。
【考案の効果】
【００１０】
本考案に係る書類クリップは、書類を挟み部材の面接触で挟み付けることにより、大きな挟み付け力で書類を保持でき、また、全体として平坦な形状に形成でき、さらに書類の挟み付け状態で挟み部材を簡単にロックできる。
【図面の簡単な説明】
【００１１】
【図１】本考案の実施例１に係る書類クリップの斜視図である。
【図２】本考案の実施例２に係る書類クリップの斜視図である。
【図３】従来の各種の書類クリップを示した図である。
【考案を実施するための形態】
【００１２】
次に、本考案を、図面を参照しつつ、好適な実施例について説明する。
（実施例１）
図１を参照すれば、実施例１の書類クリップは、書類を挟み付けて保持する書類挟み台座１と、この台座１に枢軸１８を介して枢支され、この枢支点を中心に台座１側へ旋回させて台座１を押圧状態に挟み付ける押圧挟み部材２とを有している。書類挟み台座１は座板３の片側部に座板３の板面上へのびる板状の書類挟み舌片５が連結されている。書類挟み舌片５は、その先方へ向うにつれて座板３に対して漸増する隙間６を有するように設けられ、この座板３と舌片５との間にクリップすべき書類１７を挟み込むようになっている。つまり、書類挟み舌片５は台座１の座板３に対して、舌片連結部７から先方へ向ってその上面位置が高くなるように傾斜している。
【００１３】
書類挟み台座１は書類挟み舌片５と座板３が一体で例えば合成樹脂材の成形加工により製作され、したがって書類挟み舌片５は外部から加えられた挟み付け力で、具体的には押圧挟み部材２の挟み付け力によって座板３との連結部７で弾性変形し、座板３と舌片５との間に挟み込まれた書類１７をその面圧で押圧し、書類１７を保持する。このように本考案の押圧挟み部材２は書類挟み舌片５に対し、挟み付け力を付与する機能を有している。
【００１４】
書類挟み台座１に枢支された押圧挟み部材２は、その片側部に挟み部材２の板面に対して所定の間隙９を有して該板面上へ延びる舌片係合部材８が連結されている。後述するように、この舌片係合部材８は書類挟み台座１上の書類挟み舌片５と係合して該舌片５を座板３に対して押圧し、これによって舌片５は全体として弾性偏倚して、特にその連結部７で偏倚して座板３との間に挟まれた書類１７を押圧保持するようになっている。舌片係合部材８と書類挟み舌片５との係合およびその押圧動作は、押圧挟み部材２を台座１との枢支点のまわりに舌片側へ向けて旋回させることにより、押圧挟み部材２の板面と舌片係合部材８との間の前記間隙９に、台座１の座板３および書類挟み舌片５が押圧状態に挟み込まれることでなされる。
【００１５】
図１に示されるように、書類挟み台座１の座板３に、特に押圧挟み部材２の枢支点の位置から離れた部位に、丸孔の開口１１が形成され、この開口１１に対応して押圧挟み部材２に前記開口１１と嵌合する短円柱形の突起１２が形成されている。書類挟み台座１の座板３と書類挟み舌片５との間に書類１７を挟み込み、押圧挟み部材２を舌片側へ旋回させてその舌片係合部材８で書類挟み舌片５を押圧したとき、押圧挟み部材２の先端部が若干弾性変位して該挟み部材２上の突起１２が台座１の座板３の裏側から座板３の開口１１に挿入され、これによって押圧挟み部材２と書類挟み台座１との係合がロックされる。ロックを解除するときは、再び押圧挟み部材２の先端側を若干弾性変位させて突起１２を台座１の開口１１から離脱させつつ押圧挟み部材２を台座１から離れる方向へ旋回させる。これによって舌片係合部材８による書類挟み舌片５の押し付けが解除され、書類挟み舌片５と座板３に挟まれた書類の取り出しが可能となる。
【００１６】
押圧挟み部材２の突起１２と台座１の開口１１との係合をもたらすときの押圧挟み部材２の弾性偏倚を円滑にするために、突起１２の近傍部位で押圧挟み部材２に切り込み１３が形成され、この切り込み１３によって突起近傍の押圧挟み部材２の先端部分が挟み部材２の主部分に対して巾細の首部分１５で連結され、突起１２の近傍部位の弾性偏倚が容易となる。なお、押圧挟み部材２の先端部分の外側部にＬ形に突出した押込み操作片１６が形成され、突起１２と開口１１との係合状態で押込み操作片１６が台座１の側部に接当する。突起１２と開口１１との係合を解除（ロック解除）するときは、再び押込み操作片１６を手動で押し下げて押圧挟み部材２の突起近傍部位を弾性偏倚させて、突起１２を開口１１から離脱させつつ押圧挟み部材２を台座１から離れるように旋回させる。突起１２と開口１１との係合、あるいは係合解除をより容易にするために短円柱形の突起１２の先端稜部を若干Ｒ加工しておくのがよい。
【００１７】
本考案に係る書類クリップはそのまま単独で複数枚の書類をクリップするのに使用されるほか、書類保持板の端部に装着して保持板上の書類を保持板と一体にクリップするような場合にも使用できる。また、本考案に係る書類クリップは従来の目玉クリップ（図３（ｂ））のようにクリップ操作部が書類に対し垂直方向に大きく突出することはなく、全体として平坦な形態に構成できるので、例えば事務用具の書類ファイルの背板（裏板）の上端に装着し、書類ファイルと一体で使用するような構成とすることもできる。また、書類挟み舌片５と座板３との間に挟み込んだ書類の保持をさらに確実にするために、舌片５の裏面あるいは座板３の表面に摩擦性のある何らかのシート部材を貼着してもよい。
【００１８】
（実施例２）
図２に示す実施例２は、書類挟み台座１の書類挟み舌片５を押圧挟み部材２で押圧しロック状態にするときの突起と開口の係合形態および係合動作が実施例１と若干異なっており、その他の主要部の構成は実施例１とほぼ同一である。実施例１と一部重複するが、実施例２に係る書類クリップを説明すれば、書類１７を挟み付けて保持する書類挟み台座１と、前記台座１に枢軸１８を介して枢支され、かつ台座側へ旋回させて台座１を押圧状態に挟み付ける押圧挟み部材２とを有している。
【００１９】
書類挟み台座１は座板３の片側部に座板３の板面上へのびる板状の書類挟み舌片５が連結されている。書類挟み舌片５は、その先方へ向って座板３との間に漸増する隙間６を有するように設けられ、この座板３と舌片５との間に書類１７を挟み込むようになっている。実施例１と同様に、書類挟み舌片５は台座１の座板３に対して、舌片連結部７から先方へ向って先方の上面位置が高くなるように傾斜している。書類挟み台座１は書類挟み舌片５と座板３が一体で例えば合成樹脂材の成形加工により製作され、したがって書類挟み舌片５は外部から加えられた挟み付け力で、具体的には押圧挟み部材２の挟み付け力によって座板３との連結部７で弾性変形し、座板３と舌片５との間に挟み込まれた書類１７をその面圧で押圧し、書類を保持する。
【００２０】
実施例２においても、図２に示される如く、台座１に枢支された押圧挟み部材２は、その片側部に該挟み部材２の板面に対して所定の間隙９を有して該板面上へのびる舌片係合部材８が連結されている。舌片係合部材８と書類挟み舌片５との係合およびこれによる前記舌片５の押圧動作は、押圧挟み部材２を台座１との枢支点のまわり（枢軸１８のまわり）に舌片側へ向けて旋回させることにより、押圧挟み部材２の板面と舌片係合部材８との間の前記間隙９に、台座１の座板３および舌片５が押圧状態に挟み込まれることでなされる。このような書類挟み舌片５の押圧によって前記舌片５は全体として弾性偏倚し、特にその舌片連結部７で偏倚して座板３と舌片５との間に挟まれた書類１７を押圧保持するようになっている。
【００２１】
図２の実施例２においては、台座１と押圧挟み部材２の枢支形態が実施例１と異なっている。実施例２では、押圧挟み部材２の枢支部、即ち書類挟み台座１の座板３の端部近傍に長孔２０が形成され、押圧挟み部材２の端部近傍に台座１の前記長孔２０に挿入される枢軸１８が設けられ、この枢軸１８を支点にして押圧挟み部材２が台座１に対して旋回するとともに、長孔２０に沿って枢軸１８が移動することで台座１と押圧挟み部材２が長孔２０の長さ範囲内で相対移動できるようになっている。なお、押圧挟み部材２の枢軸１８の先端には枢軸１８が長孔２０から座板３の裏側へ抜け出ないように大径の端板２２が装着されている。
【００２２】
書類挟み台座１の座板３には、枢支部の前記長孔２０と反対側の端部近傍位置にＬ形状の開口２３が形成されている。このＬ形開口２３の一端部が座板３の側部に開通し、ここからＬ形に屈曲して他端部が前記長孔２０と平行に延在した開口２３となっている。台座１のＬ形開口２３に対応して押圧挟み部材２の面板にはＬ形開口２３に収容され得る突起２５が形成されている。
【００２３】
次に、実施例２の場合のクリップロックについて説明する。
押圧挟み部材２を枢軸１８まわりに旋回させて該挟み部材２の突起２５を台座１のＬ形開口２３の座板側部に開通した開通口２３ａに挿入する。このとき、押圧挟み部材２の枢軸１８は台座１の長孔２０の舌片側へ寄った孔端に位置しており、この状態から枢軸１８を長孔２０の反対側の孔端へ移動させるように押圧挟み部材２と台座１とを相対移動（矢印Ｆ）させることで、突起２５は台座１のＬ形開口２３のＬ形屈曲部奥端２３ｂに収容される。
【００２４】
以上が押圧挟み部材２のロック状態であるが、これをより詳細に説明すれば、押圧挟み部材２を台座側へ旋回させて台座１の座板３と書類挟み舌片５を押圧挟み部材２の面板部分と舌片係合部材８との間に挟み込んだ状態で、押圧挟み部材２の突起２５が台座１のＬ形開口２３のＬ形屈曲部奥端２３ｂに収容されることで台座１に対する押圧挟み部材２のロックがなされ、台座１の座板３と舌片５との間に挟み込まれた書類１７がクリップ状態に維持される。ロックを外すときは、長孔２０に沿って押圧挟み部材２あるいは台座１を前述と逆方向へ移動させて押圧挟み部材２の突起２５がＬ形開口２３から抜け出すように押圧挟み部材２を枢軸１８まわりに旋回させる。この実施例２においても、書類挟み舌片５と座板３との間に挟み込んだ書類の保持をさらに確実にするために、舌片５の裏面あるいは座板３の表面に摩擦性のある何らかのシート部材を貼着してもよい。
【００２５】
本考案の書類クリップは、書類を書類挟み台座の座板と書類挟み舌片の板面の挟み付けによる面接触の押圧でなされるため、書類に対し大きな保持力が得られる。また、書類のクリップと同時にクリップ部材をクリップ状態にロックできるので、書類の外れ落ちが防止される。各種クリップにおける保持力をテストした結果を示す。このテストでは、コピー紙２０枚の挟み付けでコピー紙に引張り荷重を加えてコピー紙のクリップが外れるときの荷重をクリップ保持力とした。図３（ａ）に示すＷクリップ（クリップ挟み巾２０ｍｍ）では５５０ｇ、図３（ｂ）の目玉クリップ（挟み巾４０ｍｍ）では２５０ｇの保持力であったが、本考案の上述した実施例１、２による面接触クリップ（クリップ可能巾２０ｍｍ）では７００ｇの保持力が得られた。
【符号の説明】
【００２６】
１  書類挟み台座
２  押圧挟み部材
３  座板
５  書類挟み舌片
７  舌片連結部
８  舌片係合部材
９  間隙
１１  開口
１２  突起
１６  押込み操作片
１７  クリップする書類
１８  枢軸
２０  長孔
２３  Ｌ形開口
２５  突起
【図１】
0003208642.tif 000003
【図２】
0003208642.tif 000004
【図３】
0003208642.tif 000005